(57)【特許請求の範囲】
【請求項１】
墓石本体内に、前記墓石本体の垂直面の一つに開放された状態で設けられた空洞からなる、墓碑銘表示部収納部と、少なくとも二つの表示面を有する柱状形状を有し、前記墓碑銘表示部収納部の水平面に設けられた回転軸に接合され、水平方向に回転自在の状態で、前記墓碑銘表示部収納部内に設置されてなる墓碑銘表示部を有し、前記回転軸が、前記墓碑銘表示部収納部の底部に、前記墓碑銘表示部収納部の開放面側に摺動可能に設けられた棒状の摺動部材の、前記開放面側の端部に設けられてなることを特徴とする墓石。
【請求項２】
前記摺動部材の少なくとも一部を、前記墓石本体の外側に配置した状態で、前記墓碑銘表示部を回転可能とすることを特徴とする、請求項１に記載の墓石。
【発明の詳細な説明】
【技術分野】
【０００１】  本発明は、墓石に関し、特に複数の墓碑銘を備え、そのうちの一つだけを前面に表示することができる墓石に関するものである。
【背景技術】
【０００２】  現在の形に近い墓石が、使用されるようになったのは、鎌倉時代ないし室町時代の頃で、禅宗の影響が大きいとされている。当時は、個人または夫婦ごとに、墓が建立されていたが、明治中期になって、家制度が運用されるようになってから、「□□家之墓」、「□□家代々の墓」のように、家単位で建立するようになり、現在に至っている。【０００３】  しかし近年の家族構成の変化や、人口の都市部への集中により、特に地方の墓が維持できないことが問題となっている。つまり、寺院の内外における墓の無縁化の増加や、「墓じまい」と称して、廃棄や移転される墓が増加している。このような傾向に歯止めをかける一方法として、例えば、夫婦とその両親のように、親戚関係や姻戚関係のような、何らかの関係のある家族が、一つの墓を共用することが考えられる。【０００４】  特許文献１には、台石の上面に鉛直軸心回りに回転自在な回転支持盤を配し、それぞれの側面に戒名などを表示可能な、回転型石碑を当該回転盤の取り付けた墓石が開示されている。しかし、ここに開示されている墓石は、一家族のためのものであり、各側面に別の家名の墓碑銘を表示することも可能であるが、別の家名が表示されているのが見える状態では、墓参者が自身の家族の墓であるという実感を醸成するのが困難である。【０００５】  また、特許文献２には、開口窓が設けられた筒体の内部に、複数の故人名を表示した円柱状の回転体を収納した故人名表示器を、墓石の前部に設置することが開示されている。この場合は、故人名を家名に置き換えることにより、前記の問題にある程度の対処が可能であるが、墓石自体に適用するには、設計の見直しを要すると考えられる。
【先行技術文献】
【特許文献】
【０００６】
【特許文献１】  特開平１１−２８７０５５号公報
【特許文献２】  特開２００４−３２４１９６号公報
【発明の概要】
【発明が解決しようとする課題】
【０００７】  従って、本発明の課題は、通常の墓石で、複数の墓碑銘を、それぞれ単独に表示することが可能な構造を提供することにある。
【課題を解決するための手段】
【０００８】  本発明は、前記の課題に鑑み、墓石の構造を再検討した結果、なされたものである。【０００９】  即ち、本発明は、墓石本体内に、前記墓石本体の垂直面の一つに開放された状態で設けられた空洞からなる、墓碑銘表示部収納部と、少なくとも二つの表示面を有する柱状形状を有し、前記墓碑銘表示部収納部の水平面に設けられた回転軸に接合され、水平方向に回転自在の状態で、前記墓碑銘表示部収納部内に設置されてなる墓碑銘表示部を有することを特徴とする墓石である。【００１０】  また、本発明は、前記回転軸が、前記墓碑銘表示部収納部の底部に、前記墓碑銘表示部収納部の開放面側に摺動可能設けられた棒状の摺動部材の、前記開放面側の端部に設けられ、前記摺動部材を前記墓石本体の外側に配置した状態で、前記墓碑銘表示部を回転可能とすることを特徴とする、前記の墓石である。
【発明の効果】
【００１１】  本発明の墓石は、墓石本体内に設けられた空洞内に、複数の墓碑銘を表示可能で、回転可能な墓碑銘表示部を備えているので、それぞれの墓碑銘を、個別に墓石の前面に表示できる。このため、複数の個人ないし家族で供用していることを、あまり意識しないで、墓参できる。
【図面の簡単な説明】
【００１２】
【図１】  本発明に係る墓石の第一の例を示す斜視図。
【図２】  本発明に係る墓石の第二の例を示す図、図１（ａ）は斜視図、図２（ｂ）は断面図。
【図３】  本発明に係る墓石の第三の例を示す図で、図３（ａ）は墓碑銘表示部が平板の例、図３（ｂ）は墓碑銘表示部が正三角柱の例、図４（ｃ）は墓碑銘表示部が正四角柱の例。
【発明を実施するための形態】
【００１３】  次に、本発明の実施の形態について、具体的な図に基づいて説明する。
【００１４】  図１は、本発明に係る墓石の第一の例を示す斜視図である。図１において、１ａは墓石、２ａは墓石本体、３ａは墓碑銘表示部収納部、４ａは墓碑銘表示部、５ａは墓碑名表示部回転軸である。
【００１５】  この例における墓碑銘表示部４ａは、将棋の駒の形で、表裏にそれぞれの墓碑名が表示されている。墓碑銘表示部回転軸５ａには、ボールベアリングを用いることで、回転を円滑にできる。また、墓碑銘表示部４ａの底面と墓碑銘表示部収納部３ａとの間には、例えば、スプリングのような付勢手段を備えたピン、及び当該ピンの嵌合穴のような、固定手段を設けることもできる。
【００１６】  図２は、本発明に係る墓石の第二の例を示す図で、図１（ａ）は斜視図、図２（ｂ）は断面図である。図２において、１ｂは墓石、２ｂは墓石本体、３ｂは墓碑銘表示部収納部、４ｂは墓碑銘表示部、５ｂは墓碑名表示部回転軸、６は摺動部材である。なお、二点破線で表示したのは、墓碑銘表示部４ｂと摺動部材６を、外部に引き出した状態を示す。この例では、墓碑銘表示部収納部３ｂの底部に設けた溝に、摺動部材６が配され、摺動部材６の図における右端近くに、墓碑名表示部回転軸５ｂが設けられ、墓碑銘表示部４ｂとともに、墓碑銘表示部収納部３ｂの外側に引き出すことが可能である。
【００１７】  つまり、図１に示した墓石１ａの場合は、墓碑銘表示部４ａを、墓碑銘表示部収納部３ａの中で回転させるので、墓碑銘表示部４ａと墓碑銘表示部収納部３ａの内壁との間には、一定以上の空隙が必要となるが、図２に示した墓石１ｂでは、墓碑銘表示部４ｂを、墓碑銘表示部収納部３ｂの外側で回転した後、元の状態に収納できることから、墓碑銘表示部４ｂの外形寸法を、墓碑銘表示部収納部３ｂの内部の寸法と、ほぼ同じにすることができる。
【００１８】  このような構造とすることで、墓石１ｂの外観を通常の墓石に近づけることができ、より違和感の少ない状態で墓参ができる。また、ここでは、墓碑銘表示部４ｂの形状として、正四角柱形状の例を示したが、前記の特徴を活用するには、正四角柱形状または正三角柱形状とすることが望ましい。
【００１９】  図３は、本発明に係る墓石の第三の例を示す図で、図３（ａ）は墓碑銘表示部が平板の例、図３（ｂ）は墓碑銘表示部が正三角柱の例、図４（ｃ）は墓碑銘表示部が正四角柱の例を示す。この図は、左側が墓碑銘表示部の斜視図、右側が墓石本体の水平方向の断面を示している。ここに示したように、これらの例においては、墓碑銘表示部の一つの面が、墓碑銘表示部周収納部における、開口部を形成する面と一致するように、かつ、回転可能に設置されている。
【００２０】  そして、墓碑銘表示部収納部の内部の形状は、墓碑銘表示部が、自由に回転可能となるように設計されている。ここでは一例として、墓碑銘表示部収納部の形状を円柱状としているが、墓石本体を構成する石材への掘削加工が容易にできる形状であれば、特に限定されない。製作を容易にするために、墓石本体をコンクリートで形成し、表面に墓石用の石材の板を張り付けてもよい。また。全体をコンクリートで構成してもよいことは論を俟たない。
【００２１】  以上に説明したように、本発明によれば、複数の墓碑銘を備えた墓石を提供でき、墓の管理維持に寄与するところは、非常に大きいと言える。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２０】１ａ，１ｂ  ・・・  墓石
２ａ，２ｂ  ・・・  墓石本体
３ａ，３ｂ  ・・・  墓碑銘表示部収納部
４ａ，４ｂ  ・・・  墓碑銘表示部
５ａ，５ｂ  ・・・  墓碑名表示部回転軸
６  ・・・  摺動部材
【要約】
【課題】  複数の墓碑銘を、それぞれ単独に表示することが可能な構造を備えた墓石を提供する。
【解決手段】  墓石本体２ａの内部に、墓石２ａ本体の垂直面の一つに開放された状態で設けられた空洞からなる、墓碑銘表示部収納部３ａを設け、少なくとも二つの表示面を有する柱状形状の墓碑銘表示部４ａを、墓碑銘表示部収納部３ａの水平面に設けられた回転軸５ａを介して、水平方向に回転自在の状態で、墓碑銘表示部収納部３ａ内に設置する。これによって、複数の墓碑銘のうちの任意の一つのみを、墓石本体２ａの表面に表示できる。
【選択図】図１【図１】
0005735697.tif 000002
【図２】
0005735697.tif 000003
【図３】
0005735697.tif 000004